(57)【要約】【課題】  内部からの光により半透明の板の上に宣伝の模様が美しく見えることによる装飾効果及び広告宣伝効果の大なる庇を得る。【解決手段】  屋根巾を形成する３枚の板のうち少なくとも一枚は、必要模様を施した半透明板を用い、先端の２つの角及び板面には支え枠がなく、且つ中からの照明光で内部骨格が３枚の板の外部から見たとき映らないようにし、縁は装飾縁を設置した照明付き庇。【選択図】図１
2004272271.tif 000002
【特許請求の範囲】
【請求項１】
庇の厚さを形成する前面と左右の３枚の板のうち、少なくとも一枚は、必要模様をした半透明板を用い、先端の２つの角及び板面には支枠がなく、且つ中からの照明光で内部骨格が、板を外部から見た時、映らないようにすることを特徴とする照明付き庇。
【請求項２】
端が支えのないコの字形の左右両側枠と、中に支えはあるが端には支えはないコの字形の中間枠とを、開放側を前面に向け、間隔を置いてつなぎ合わせて一体化し、模様を映す照明具を最外側の内部支えより外側に配置することを特徴とする請求項１の照明付き庇。
【請求項３】
庇を構成する枠の厚さを中側から両側へ同等か又は小さくし、壁際から外側へ同等又は小さくしていく請求項１又は請求項２の照明付き庇。
【請求項４】
骨格材が軽比重の金属材、半透明板が合成樹脂板であることを特徴とする請求項１、２又は３の照明付き庇。
【請求項５】
半透明板の上下の縁部分には発泡樹脂製の縁をはめ込み、裏から支えを当てて固定させることを特徴とする請求項１、２、３又は４の照明付き庇。
【請求項６】
発泡樹脂製縁の外側を装飾状に成形した照明付き庇用飾り縁。
【請求項７】
溝を設けたことを特徴とする第６項記載の照明付き庇用飾り縁。
【請求項８】
請求項６又は請求項７の飾り縁を使用することを特徴とする請求項１〜５のいずれか１項に記載の照明付き庇。
【発明の詳細な説明】
【技術分野】
【０００１】本発明は広告宣伝効果及び装飾効果の大きな照明付き庇に関する。
【背景技術】
【０００２】  商店などでは宣伝の手段として看板や種々の道具を使用している。しかしこれらは家屋とは別のものであり設置場所を任意に選べるが、宣伝だけのものであり費用もかかる。庇は出入り口などの開放したところの上にさしだした小屋根であり、出入りの際の雨の防御等となる家屋の一部である。しかしながらそれ自体が宣伝の働きをするでもなく、多くは看板やネオンサインを必要に応じて更に付け加ている。従来の技術としては
【実用新案文献１】
実開平４−１２９２４２号公報
【実用新案文献２】
実開昭６０−１９６２４号公報
【特許文献１】実開昭６０−１９６２４号公報
がある。しかし、「実用新案文献１」は庇を装飾し且つ豪華さを増大させる試みはあるが広告宣伝効果を目的とするものでなく又外部に支持のための枠体を使用しており目的も構成も全く異なる。「実用新案文献２」は庇内部からの光を利用している庇であるが枠内を誘導して屋根部下部を照らすために使用しているので目的も構成も全く異なる。「特許文献１」は庇構造において半透明材料を使用しているが外からの採光のため屋根としての使用で、内部からの半透過光により宣伝広告の目的に使用しているのではない。このように従来の庇は外部に組み立て枠体の露出で外観も悪く、貧弱で庇としての役割を果たすものでしかなかった。
【発明の開示】
【発明が解決しようとする課題】
【０００３】  本発明はこれらの欠点をなくしたもので白昼は半透明の板等からなる宣伝効果のある庇であり、夜は中からの光により半透明の板の上に宣伝の模様が浮かび、夜昼とも枠やその影が映らないようにすることによる装飾効果及び宣伝広告効果の大なる庇を得ることである。
【課題を解決するための手段】
【０００４】  そのための請求項１に記載した手段は庇の厚さを形成する三枚の板のうち少なくとも一枚は、必要模様を施した半透明板を用い、前面の２つの角には支えの金属枠がなく、且つ、中からの照明光で内部骨格が３枚の板の外部から見た時映らないようにすることを特徴とする照明付き庇であって、庇の厚さを形成する３枚の板ははその上に宣伝広告などの文字を含む模様、文字、図形、マーク等を貼り付け、加工等が出来、簡単に安価に装飾的にも宣伝広告的にも優れたものをえることが出来る。【０００５】次いで請求項２に記載した手段は端が支えのないコの字形の左右の両側枠と、中に支えはあるが外側の端には支えはないコの字形の中間枠とを、開放側を前面に向け間隔を置いてつなぎ合わせ一体化し、照明を最外側の内部支えより外側に配置することを特徴とする請求項１の照明付き庇であって大きく張り出した場合でも充分耐えうる強度を保つための構造である。【０００６】請求項３に記載した手段は枠の厚さを中側から両側へ同等か小さくし、壁際から外側へ同等又は小さくしていく請求項１又は請求項２の照明付き庇であって屋根の雨水を流す機能を果たすと共に、その装飾的外観を保ち広告宣伝効果を発揮するために中央から両側に、合わせて壁側から外側に同じ高さか、或いは段々と傾斜をつける屋根型庇の構造とするものである。【０００７】請求項４に記載した手段は骨格材が軽比重の金属材、半透明板が合成樹脂板であることを特徴とする請求項１、２又は３の照明付き庇であって材質を特定化することにより屋根型の庇の機能及び効果を最大限に発揮させると共に安価で入手も容易なものを得るためである。【０００８】  請求項５に記載した手段は半透明板の上下の縁部分には発泡樹脂製の縁をはめ込み、裏から支えを当てて接続させることを特徴とする請求項１、２、３又は４の照明付き屋根型庇であって屋根側と天井側とに挟まれた半透明板はその接合部分において軽量で強度のある固定化を図るための手段を講じたものである。【０００９】  請求項６に記載した手段は発泡樹脂製縁の外側を大小の半円形筒を平行してつけた形状等に成形し、必要に応じて色彩を施した飾り縁であり、縁の機能を果たしつつ美的要素も持たせた飾り縁を提供する。【００１０】  請求項７に記載した手段は上部に縁と平行して溝を設けることにより、照明付き庇用飾り縁に更に雨どいのための機能を加えたものである。【００１１】請求項８に記載した手段は請求項６又は請求項７の飾り縁を使用することを特徴とする請求項１〜５のいずれか１項に記載の照明付き庇であって発砲樹脂製の飾り縁使用より更に本発明の効果を発揮させ、或いは更に雨どいをつけた機能を持つ飾り縁使用の照明付き庇を提供するものである。
【発明の効果】
【００１２】以上のように本発明によれば商店などにおいてその出入り口に設置することにより斬新さと美しさで人々の目を引き遠くからも入り口まで分かるので入り易く宣伝広告の効果は大きい。
【発明を実施するための最良の形態】
【００１３】  以下本発明の実施の形態を図面に基づいて説明する。図１は製品の一部切断鳥瞰図である。庇の厚さを形成する正面と左右の三枚とも半透明アクリル板２を使用している。ポリカーボネイト等の合成樹脂、ガラスも使用は出来るが合成樹脂特にアクリル板が割れなく軽いので望ましい。乳白色の他、色が施されていても良い。前方２箇所の角の部分１２は外枠の支えがないので見た目もすっきりしている。内部の骨格支え４の影も半透明板２に映ってはいない。【００１４】  図２は内部の骨格構成を、組み立て一体化した状態を示したものであり、この例では枠材３，４としてアルミを使用している。図３は他の例を示したものであり、図２では枠は奇数であるから真ん中の枠ｃ一個が最も厚さが大きくその両側の枠ｂは壁際の厚さは枠ｃと同じ厚さだが先は少し狭くなっており、両脇の枠ａは厚さが枠ｂの先端と同じ厚さになったコの字形の枠を使用している。このことは図１，２で見られるように庇として雨を受けた時の流れを良くすると共に装飾的にも魅力的である。
半透明の板２に店名などの文字、模様、図案１３など広告宣伝、装飾となるものを書いたり貼り付け、掘り込み、など種々の手段で処理することが出来る。これらは夜間には中からの照明で浮かび上がり、遠くからも美しく見える。又、この下が入口と直接場所も指示する機能も持つ。半透明板２も乳白色のみならず色々な色であっても良い。半透明板は３枚続きで角で折り曲げてあっても良いし、別々で左右の２枚は半透明板でなくとも良い。板の上に更に看板などを別途つけることも可能である。【００１５】  図２，３はその骨格を示している。材質として鉄骨、木材など通常のものが使えるが特にアルミ等の軽金属が望ましい。骨格材の形状は平板、Ｌ形、コ形、□形などいろいろな形状が可能であり、枠の数も複数であれば良い。枠は左右対称になるように設置するのが形として望ましいがこの限りではない。そして図２，３のように、適当の間隔を置いて溶接などで接続し、一体化した屋根型庇骨格を形成する。そして図示してはいないが壁面に本体を固定するための枠をアンカーボルトで固定し、この枠に屋根庇骨格を据え付ける。図２，３に示す両側の２個の枠ａはコの字型枠であって中に支えはないが半透明板２でも支える構造になる。中間の複数の枠ｂ、ｃはコの字型枠の間を支える支え４があるとともに互いに間隔を置いて溶接などで結合一体化する。
支え４は斜めの支えでも良い。この構造によって半透明板の角の部分１２は縦の骨格はなく板のみとすることが出来、板全体としても支え枠を必要としない。内部においては支え枠、或は枠間の支え枠があるので全体として強度を保った屋根庇を形成することが出来る。従って庇を大きくすることができる。照明５は図１に示すごとく蛍光灯を壁から最も離れた支え材４の外側に設置する。両横に設置の場合は枠ｂより外側に設置することにより外から見て枠の内部からの影が半透明板に映らないようにすることが出来る。照明は蛍光灯以外でも良い。【００１６】  又枠は図３の枠ａ、枠ｃに示すごとく壁側の厚さ６と外側の厚さ７が同一のものと枠ｂのごとく壁側の厚さ６が外側の厚さ７より大なものとがある。図２の例ではは５個の枠から形成されており、真ん中が枠ｃ、左右両側が枠ａで共に壁側と外側の厚さは同一の厚さの枠を使用しており、その中間の２個は枠ｂを使用し、壁側の厚さ６より外側の厚さ７が狭くなっている。
中心から両側に行くにしたがって、又壁際から外へ向かって、同等の厚さか或いは小さ厚さのの枠を使用して屋根としての形を整え雨水を外方へ流れ易くする。
これらの枠を適当数使用することにより庇の大きさは変更することができる【００１７】  図３は他の実施例を示している。この場合は枠ｂを計４個使用している。【００１８】  半透明板２と屋根１０、半透明板２と天井１１の接合部は図４、５に示すが発泡樹脂製の縁８で固定する。縁の一方をＬ型に形成し、そこに半透明板２を当込み裏から押さえ板９で押さえ固定する。半透明板２の端は縁の中で少し空間を開けて設置し、熱膨張による伸縮を吸収する。縁は単なる押さえの平面のものでもかまわないが外側を装飾したものが宣伝広告庇に使用する縁としては望ましい。縁の壁際で使用のものは平面でもかまわない。半透明板同士を接続させる場合は裏から透明板をあてがい接着する。【００１９】  図６は飾り縁である。図５に縁８としての装着様態を示している。
図５はそれを外から見た図である。実施の飾り縁は大小の半円形筒を平行してつけた形状に成形したものであるがこれ以外の形状であっても良い。又種々の色彩を使用することにより効果を更に向上させることが出来る。発泡樹脂の材質としてはポリエチレン系、ポリスチロール系、アクリル系など軽量、強度のある発泡樹脂ならすべて使用できるが中でもＡＢＳ樹脂が最も好ましい。飾り縁のライン上にイルミネーションライトを配することにより、さらにイメージアップが期待できる。【００２０】    図７は他の飾り縁である。飾り縁の上部に横に平行して溝を設ける。溝の幅、深さ、形等は飾り縁を設置した時に図８に示すように溝同士が連通し雨水溝を形成するようにする。この事により、屋根を流れ落ちた雨水は雨水溝に入るため、ポタポタと地上に落ちることなく従って来客に不愉快な思いをさせずに済む。【００２１】    又図７の飾り縁は天井面（即ち庇の下面）の縁に設けたときは図９に示すごとく照明器具を更に設置することが出来るので１段と修飾の効果を上げることが出来る。
【実施例１】
【００２２】壁面（取り付け位置）に本体を固定するためのフレームをアンカーボルトで固定する。
材質は通常５０ｍｍｘ５０ｍｍアングルに防錆塗装仕上げ、接合部は溶接加工する。
図３に示す本体をフレームに固定し、次いで配線工事と蛍光灯２段に、支え４の外側に取り付けた。乳白色３ｍｍアクリル板を表面３面と底辺の天井部に貼り、天井板を取り付け、図６の飾り縁を上下のコーナーに固定した。アクリル板上に店名文字、必要図形、マーク等を貼り付けた。枠間は９０ｃｍで、庇巾は５４０ｃｍ、奥行き１３０ｃｍ、先端の枠ｃの厚さ７は８０ｃｍ，枠ａ、ｂの厚さ７は共に５０ｃｍであった。
【実施例２】
【００２３】使用する飾り縁を図７に示す溝つき飾り縁を使用した。他は実施例１と同様にし、連通する雨水溝の端の壁部に雨水溜めと雨どいを設置した。庇屋根から流れ落ちた雨水はこの雨水溝に集まり雨どいから排出し、ぽたぽた垂れ落ちることがなくなった。又庇に下側に設置した飾り縁に図９に示すごとく電球受け枠１７を電球セット及び落下防止のため取り付け（電源との接続部分は表示略）電球を照らすことが出来た。
【図面の簡単な説明】
【００２４】
【図１】本発明品の１部切断鳥瞰図。
【図２】本発明品の内部骨格と構成する枠を示した図。
【図３】本発明品の枠を増やした他の例で内部骨格と構成する枠を示した図。
【図４】飾り縁を使用した固定部分を示した本発明品の平面図。
【図５】装飾縁を使用した本発明品の鳥瞰図。
【図６】本発明の飾り縁。
【図７】本発明の他の飾り縁
【図８】飾り縁の雨水溝使用図
【図９】飾り縁の照明具設置図
【符号の説明】
【００２５】１  屋根型庇    ２  半透明板    ３  枠    ４  内部支え枠    ５  照明具
６  庇厚さ（壁際）    ７  庇厚さ（外側）    ８  飾り縁    ９  押さえ板
１０  屋根    １１  天井    １２  角を形成する部分    １３  文字、マーク等の表示
１４  雨水溝    １５  雨水溜    １６  電球    １７  電球受け枠
ａ，ｂ，ｃ  は３種の枠
【図１】
2004272271.tif 000003
【図２】
2004272271.tif 000004
【図３】
2004272271.tif 000005
【図４】
2004272271.tif 000006
【図５】
2004272271.tif 000007
【図６】
2004272271.tif 000008
【図７】
2004272271.tif 000009
【図８】
2004272271.tif 000010
【図９】
2004272271.tif 000011